(57)【特許請求の範囲】
【請求項１】
レンズ鏡筒の位置を支持体に対して必要な方向に移動させて位置を調整する調整部材と、
該調整部材による調整可能な状態で、前記レンズ鏡筒を前記支持体に弾性力により保持する保持部材と、
該保持部材の弾性力による付勢方向と同方向に前記レンズ鏡筒に付勢力を与えて前記レンズ鏡筒を前記支持体に固定する固定部材とを備え、
前記固定部材は、前記支持体に対して着脱自在に構成され、
前記保持部材又は該保持部材の一部は、前記固定部材により前記レンズ鏡筒が固定された状態で取り外されていることを特徴とするレンズ位置調整固定装置。
【請求項２】
前記保持部材は前記レンズ鏡筒の位置調整前に前記支持体に固定され、前記固定部材はレンズ鏡筒の位置調整後に前記支持体に固定されることを特徴とする請求項１に記載のレンズ位置調整固定装置。
【請求項３】
前記保持部材は該保持部材の一部としてのネジにより固定され、該ネジは固定部材による固定後に取り外されていることを特徴とする請求項１または請求項２に記載のレンズ位置調整固定装置。
【請求項４】
前記保持部材と前記固定部材とは前記支持体に独立に固定、取り外しが可能であることを特徴とする請求項１または請求項２に記載のレンズ位置調整固定装置。
【請求項５】
前記保持部材の中央に前記固定部材を跨ぐ切り込み部を設け、該切り込み部において前記固定部材を前記支持体に固定、取り外し可能とすることを特徴とする請求項４に記載のレンズ位置調整固定装置。
【請求項６】
前記保持部材は、前記固定部材による固定後に取り外されていることを特徴とする請求項４または請求項５に記載のレンズ位置調整固定装置。
【発明の詳細な説明】
【０００１】
【発明の属する技術分野】
本発明は光学式情報記録・再生装置などの光学装置に用いられ、レンズ鏡筒の位置を微調整できると共に位置を固定できる位置調整固定装置に関する。
【０００２】
【従来の技術】
従来から、図１に示すような光学式情報記録再生装置が知られている。図１において、符号１は固定光学部であり、この固定光学部１は、レーザー光を可動光学部との間の光路２に向けて発するとともに、図示してない光ディスクで反射されたレーザー反射光を光路２を介して受光する。また、符号３は可動光学部であり、矢印Ａ方向に移動自在に設けられ、光路２を介して固定光学系１と光学的に連繋されている。また、符号４は光ディスクを回転駆動するスピンドルモータであり、符号５はスピンドルモータ４の回転を制御する回転制御部である。
【０００３】
可動光学部３は、光路２と平行な一対の案内レール６，６に摺動可能に保持され、リニアモータ機構７によって案内レール６，６上を往復移動する。このリニアーモータ機構７は、ヨーク７ａ，７ａ、マグネット７ｂ，７ｂ、コイル７ｃ，７ｃから構成されている。
【０００４】
ところで、固定光学部１内には、図示してないが半導体レーザーからのレーザー光を光路２に導く出射光学系、光ディスクなどの記録担体で反射し光路２を介して入射したレーザー光を受光素子８に導く受光光学系などが設けられている。そしてこの固定光学部１の製造時には、記録担体と光ビームとの相対的な整列関係を維持するために、この出射光学系や受光光学系に設けられた各レンズの光軸、焦点位置などを移動させて正確に整列関係を微調整しておく必要がある。このため、この固定光学系１は、図２乃至図６に示すように、受光光学系において集光レンズを含むレンズ鏡筒１０が固定光学部１のベース（図示を省略する）の一部に設けられた支持部（ベース）１１に微調整可能に設けられている。
【０００５】
ここで、図２乃至図６は、集光レンズの焦点位置調整と固定の様子を説明する図であり、図２は固定光学部１の一部切り欠き平面図、図３はその要部の一部切り欠き側面図、図４は図３のＢ方向から見た要部側面図である。また、図５は、レンズ鏡筒（又はレンズ枠）が搭載された箇所の詳細を示した底面図であり、図６は図５のＣ−Ｃ線に沿った断面図である。なお、図３、図４、図６では、上下は逆転されており、集光レンズの焦点位置調整は、固定光学部１の下側から調整されている。
【０００６】
このレンズ鏡筒（又はレンズ枠）１０は、内部に空間１０ａが形成され、この空間１０ａに集光レンズが内蔵され、その光軸の延長方向には受光素子８が配置されている。また、レンズ鏡筒１０の外周枠１０ｂには、平面部１０ｄがレンズの光軸方向に沿って下部に形成され、外周枠１０ｂのほぼ中央には、集光レンズの光軸と直交する方向に溝１０ｅが形成されている。
【０００７】
一方、支持部１１は、側面が水平面１１ａと立設面１１ｂとを有するＬ字状に形成され、その水平面１１ａには平坦部１１ａ´が形成されている。その平坦部１１ａ´に平面部１０ｄが当接され、立設面１１ｂに外周枠１０ｂが当接されている。立設面１１ｂの下方（図面上方）には平面部１１ｃが形成されている。その平面部１１ｃに、ネジ１２により弾性体からなる取付金具１３の基部１３ａが固定され、取付金具１３の先端１３ｂ側は、外周枠１０ｂが立設面１１ｂと平坦部１１ａ´の双方に平均的に安定して当接されるよう加圧される方向に折り曲げられている。
【０００８】
このように構成することによって、この取付金具１３により、外周枠１０ｂは水平面１１ａ、立設面１１ｂに押しつけられて挟持されている。このとき、この取付金具１３は、弾性を有しているので、その弾性力によりレンズ鏡筒１０を水平面１１ａ、立設面１１ｂに向けて付勢することによりレンズ鏡筒１０は離脱することなく保持されているが、この付勢力が働いた状態でレンズ鏡筒１０は光軸方向に移動調整可能である。
【０００９】
この取付金具１３は、図５に示すように、溝１０ｅの幅ｄ１０よりも広い切り込み部１３ｃを中央に有する。切り込み部１３ｃの幅ｄ１３はレンズ焦点位置調整時にレンズ鏡筒１０が移動すべき範囲に適応した大きさとなっている。この切り込み部１３ｃは、溝１０ｅを跨いで取り付けられている。この溝１０ｅの幅ｄ１０は、調整棒１４のピン１４ａが嵌合可能な大きさとなっている。このピン１４ａは、図７に示すように、調整棒１４の端面１４ｂに偏心して設けられている。なお、図５においては、取付金具１３とピン１４ａとの位置関係を明確にするために、ピン１４ａおよび調整棒（二点鎖線の円で描いてある）１４が示してある。
【００１０】
調整棒１４には摘み部１５が取り付けられ、この摘み部１５を手で回すことにより、調整棒１４を回動させることができる。調整棒１４と摘み部１５とはブラケット１６によって調整装置（図示しない）のベース材１７に固定されている。調整棒１４の周囲には、ブラケット１６との間に圧縮コイルスプリング１８が設けられ、レンズ焦点位置を調整する際の、摘み部１５の操作感覚の向上が図られている。
【００１１】
集光レンズの焦点位置を調整する際には、切り込み部１３ｃを通してピン１４ａを溝１０ｅに嵌合させて、摘み部１５を手で回して調整棒１４を回動させると、ピン１４ａは偏心して設けられているので、レンズ鏡筒１０は光軸方向に僅かに移動する。これによって、集光レンズの焦点位置を微調整することができる。
【００１２】
【発明が解決しようとする課題】
しかしながら、上記従来の技術では、固定金具が弾性体であるので、落下等の強い衝撃により、レンズ鏡筒の位置がずれることがあった。また、これを補うために接着剤により固定することも考えられるが、接着剤などにより固定すると固定した後の再調整が行えないという問題が生じる。
【００１３】
本発明の目的は、レンズ焦点位置の調整を行うことができると共に、調整された後に、落下等の強い衝撃が加わった場合にも調整位置が移動されないレンズ位置調整固定装置を提供することである。
【００１４】
【課題を解決するための手段】
上記目的を達成するために、請求項１に記載の発明は、レンズ鏡筒の位置を支持体に対して必要な方向に移動させて位置を調整する調整部材と、該調整部材による調整可能な状態で、前記レンズ鏡筒を前記支持体に弾性力により保持する保持部材と、該保持部材の弾性力による付勢方向と同方向に前記レンズ鏡筒に付勢力を与えて前記レンズ鏡筒を前記支持体に固定する固定部材とを備え、前記固定部材は、前記支持体に対して着脱自在に構成され、前記保持部材又は該保持部材の一部は、前記固定部材により前記レンズ鏡筒が固定された状態で取り外されていることを特徴とする。
【００１５】
このように構成すれば、保持部材の弾性力により保持された状態で、レンズ鏡筒の位置は調整部材により調整される。この調整された位置は、保持部材の弾性力により維持されるが、強い衝撃があると位置ずれを起こす。そこで、この調整された状態で、レンズ鏡筒の位置は、固定部材により固定される。このとき、保持部材により保持している付勢力と同方向の力によりレンズ鏡筒を固定すれば、この固定工程において位置ずれを起こすことがない。これにより、高精度に微調整されてもその状態は保たれると共に、強い衝撃があっても位置ずれすることがない。
また、保持部材又は保持部材の一部は、固定部材により固定された後はさしあたり不要となるので、固定部材によりレンズ鏡筒が固定された状態で取り外せる構成とすることにより、レンズ位置調整固定装置の重量を軽減できる。
【００１６】
請求項２に記載の発明のように、保持部材はレンズ鏡筒の位置調整前に支持体に固定されて、固定部材はレンズ鏡筒の位置調整後に支持体に固定されるのがよい。
【００１７】
この保持部材は、固定部材により固定された後は、さしあたり不要となり、レンズ位置調整固定装置から取り外してもよい。このために、保持部材と固定部材とを独立して支持体に固定、取り外しが可能なように構成すると、さしあたり不要となった保持部材を取り外すことにより、レンズ位置調整固定装置の重量は軽減できる。また、再び位置調整が必要となった場合には、この保持部材を装着すればよい。そのためには、この固定は例えばネジなどにより、繰り返し装脱着可能に構成されるのがよい。
【００１８】
このような構成は、例えば、保持部材の中央に固定部材を跨ぐ大きな切り込みを設け、この切り込み部を利用して固定部材を支持体に固定すれば、構成が簡単である。
【００１９】
【発明の実施の形態】
以下、本発明の実施の形態について説明する。なお、従来技術の説明と同一のものについては同一符号を付して詳細な説明を省略し、異なる部分についてのみ説明することとする。
【００２０】
この実施の形態のレンズ焦点位置調整固定装置は、図１に示した固定光学部１の内部に設けられた出射光学系や受光光学系のレンズ焦点位置を調整し、固定するための治具である。
【００２１】
図示を省略する固定光学部１のベースの一部にレンズ鏡筒１９を微調整可能に固定する支持部１１が設けられている。この固定光学系１における焦点位置調整と固定の様子は、図８乃至図１１に示されている。図８は、実施の形態の焦点位置調整固定装置の概略を説明するための固定部材組立前の斜視図、図９は固定部材による固定前の底面図、図１０は組立時の斜視図である。また、図１１は図１０のＡ−Ａ線に沿った断面図である。
【００２２】
支持部１１は、側面が水平面１１ａと立設面１１ｂとを有するＬ字状に形成されている。また、レンズ鏡筒１９は、内部に空間１９ａが形成され、この空間１９ａに集光レンズが内蔵されている。レンズ鏡筒１９の外周枠１９ｂのほぼ下方中央（図面では上方中央）には、集光レンズの光軸Ｏ１と直交し、水平面１１ａと平行に溝１９ｃが形成されている。
【００２３】
立設面１１ｂの下方には水平面１１ａと平行な平面部１１ｃが形成されている。その平面部１１ｃに、一対のネジ２０、２０により弾性体からなる取付金具２１の基部２１ａが固定され、取付金具２１の先端２１ｂは、外周枠１９ｂが立設面１１ｂと水平面１１ａとの双方に平均的に安定して当接されるように略４５度の角度で加圧されるような方向に折り曲げられている。
【００２４】
このように構成することによって、この取付金具２１により、外周枠１９ｂは水平面１１ａ、立設面１１ｂ側に押しつけられて挟持されている。このとき、この取付金具２１は、弾性を有しているので、その弾性力によりレンズ鏡筒１９は水平面１１ａ、立設面１１ｂに向けて付勢されて離脱することなく保持されるが、この付勢力が働いた状態でレンズ鏡筒１９は光軸Ｏ１方向に移動調整可能である。
【００２５】
この取付金具２１は、図９に示すように、溝１９ｃの幅ｄ１９よりも広い切り込み部２１ｃを中央に有する。切り込み部２１ｃの幅ｄ２１はレンズ焦点位置調整時にレンズ鏡筒１９が移動すべき範囲に適応した大きさとなっている。この切り込み部２１ｃは、溝１９ｃを跨いで取り付けられている。この溝１９ｃには、調整時に調整棒（二点鎖線の円で描いてある）１４のピン１４ａが嵌合されている。
【００２６】
集光レンズの焦点位置を調整する際には、溝１９ｃ内にピン１４ａを係合させた後、図示を略す摘み部１５を手で回して調整棒１４を回動させる。これによって、レンズ鏡筒１９がその光軸Ｏ１方向に僅かに移動して、集光レンズの焦点位置をスムーズに微調整することができる。
【００２７】
この状態でレンズ位置調整固定装置は、取付金具２１が弾性体であるので、落下等の強い衝撃により、レンズ鏡筒１９の位置がずれることがある。そこで、この実施の形態では、硬質樹脂製の固定部材２２が取付金具２１を覆ってレンズ鏡筒１９を固定する。
【００２８】
この固定部材２２は、平坦部２２ａと両側の脚部２２ｂ、２２ｃとからなる断面がコの字状に形成されている。一方の脚部２２ｂには三つの開口２３ａ〜２３ｃが形成され、その底面２２ｄは平面部１１ｃと平行である。ここで、中央の開口２３ａは固定部材２２を支持部１１に固定するためのネジ孔であり、開口２３ａの両側に形成される開口２３ｂ、２３ｃは、底面２２ｄとネジ２０の干渉をなくすと共に、後述するように、固定部材２２を取付後にネジ２０を取り出すための貫通孔である。
【００２９】
平坦部２２ａには、溝１９ｃに対応して鉛直方向に貫通する開口２４が形成されている。この開口２４は、調整棒１４の直径よりもやや大きく、調整棒１４の装着時には調整棒１４はこの開口２４に遊嵌され、調整棒１４による調整が可能とされる。また、他方の脚部２２ｃの底面２２ｅは、取付金具２１の先端２１ｂに合わせて略４５度に傾斜されている。
【００３０】
ネジ２５により固定部材２２を固定すると、底面２２ｅは、取付金具２１がレンズ鏡筒１９と接する辺りに当接されて、取付金具２１はこの固定部材２２により強固に固定される。これにより、図１０に示すように、ネジ２０，２０を取り外しても、レンズ鏡筒１９は強固に固定されており、落下等により位置ずれすることがない。
【００３１】
レンズ焦点位置の調整を再度行うときには、ネジ２０、２０を固定した後に、ネジ２５を緩めて固定部材２２による固定を解除する。この状態でレンズ鏡筒１９の位置を再調整できる。
【００３２】
また、取付金具と固定部材とを、図１２乃至図１４に示すように独立して取り外し可能に形成することもできる。この図１４に示すように、取付金具２１は大きな切り込み部２１ｃを有する。この切り込み部２１ｃは、固定部材２２が平面部１１ｃに固定された状態で、固定部材２２を跨いでいる。この固定部材２２の底面２２ｅ´は外周枠１９ｂの外径に合わせて傾斜されている。
【００３３】
このように構成すると、図１３に示すように、取付金具２１を取り付けた状態でレンズ鏡筒１９の位置を調整することができる。図１２に示すように、切り込み部２１ｃの内側の平面部１１ｃに固定部材２２をネジ２５により固定すると、レンズ鏡枠１９ｂが直接底面２２ｅ´に当接されてレンズ鏡筒１９は強固に固定される。固定部材２２により固定後は、図１４に示すように、取付金具２１はネジ２０共々取り外すことができる。これによりより一層の重量の軽減が計れる。
【００３４】
以上の説明では、光学式情報記録再生装置について説明したが、光学式情報記録装置、光学式情報再生装置はもちろんのこと、レンズの微妙な位置調整が必要な他の光学装置にも本発明は利用できる。
また、レンズ光軸周りにレンズ枠を回動して調整を行うレンズ調整固定装置にも応用可能である。
【００３５】
また、以上の説明でレンズ鏡筒は、固定光学系に装着された例で説明したが、可動光学系に配置してもよい。このように可動部分に配置することにより、慣性モーメントが大きく働いても、この発明の装置は位置ずれを起こすことがない。また、部品の軽量化が計れるこの発明の装置は駆動部分の摩耗を少なくできる。
【００３６】
また、固定部材２２のネジ２５を緩めた状態で調整を行う場合には開口２４は必要であるが、再調整の際に固定部材２２を取り外す場合や、溝１９ｃへの調整棒１４の装着に対して固定部材２２が干渉しないよう固定部材２２の位置を考慮すれば、この開口２４はなくてもよい。
【００３７】
【発明の効果】
以上説明したように、本発明によれば、レンズ焦点位置の調整を行うことができると共に、調整された後に、落下等の強い衝撃が加わった場合にも調整位置が移動されないレンズ位置調整固定装置が提供できる。
【図面の簡単な説明】
【図１】一般的な光学式情報記録再生装置の概略構成を示した平面図である。
【図２】従来の固定光学部の一部を切り欠いた平面図である。
【図３】図２の要部の一部切り欠き側面図である。
【図４】図３をＢ方向から見た要部側面図である。
【図５】レンズ鏡枠が搭載された箇所の詳細を示した底面図である。
【図６】図５のＣ―Ｃ線に沿った断面図である。
【図７】調整棒を示した斜視図である。
【図８】実施の形態の位置調整固定装置の概略を説明するための固定部材組立前の斜視図である。
【図９】固定部材を取り外した位置調整固定装置の底面図である。
【図１０】図８の組立時の斜視図である。
【図１１】図１０のＡ−Ａ線に沿った断面図である。
【図１２】他の実施の形態によるレンズ鏡筒が搭載された箇所の詳細を示す斜視図である。
【図１３】図１２の固定部材組立前の斜視分解図である。
【図１４】図１２の取付金具を取り外した様子を示す斜視図である。
【符号の説明】
１  固定光学部
１１  支持体
１９  レンズ鏡筒
１９ｂ  レンズ鏡枠
２１  取付金具
２１ｃ  切り込み部
【図１】
0003836570.tif 000002
【図２】
0003836570.tif 000003
【図３】
0003836570.tif 000004
【図４】
0003836570.tif 000005
【図５】
0003836570.tif 000006
【図６】
0003836570.tif 000007
【図７】
0003836570.tif 000008
【図８】
0003836570.tif 000009
【図９】
0003836570.tif 000010
【図１０】
0003836570.tif 000011
【図１１】
0003836570.tif 000012
【図１２】
0003836570.tif 000013
【図１３】
0003836570.tif 000014
【図１４】
0003836570.tif 000015